(57)【要約】      （修正有）【課題】モールド成形を要することなくケーブルの端部にケーブル用コネクタを容易に、かつ、十分な保持力で取付けることができ、しかも、ケーブル用コネクタ内部への液体の侵入を確実に防止することができること。【解決手段】コンタクト／シール用シリンダー１４は、導体接続部を保持するコンタクト収容部１４Ａと、係止用突起部を外周部に有する押圧片の内周部に形成されシール用チューブ１６が装着される環状の凹部と、を有し、ケーブルＣＡがシール用チューブの孔を通じてプラグコンタクト端子２０またはレセプタクルコンタクト端子４０に接続される場合、段付押さえナット部材１２の雌ねじ部が、プラグハウジング１８およびレセプタクルハウジング３８の雄ねじ部１８ＭＳ、３８ＭＳにねじ込まれるとき、押圧片およびシール用チューブ１６が押圧されることにより、プラグハウジングおよびレセプタクルハウジング内のケーブルの外周部が密封されるもの。【選択図】図２
2013069550.tif 000002
【特許請求の範囲】
【請求項１】
ケーブルの一端が接続されたコンタクト端子を着脱可能に収容するハウジングと、
前記ハウジング内に配され複数の押圧片と、該押圧片の外周部における共通の円周上に形成される複数の係合部とを有し、該ハウジング内に挿入された前記ケーブルの外周部に装着されるシール用チューブを前記複数の押圧片の内側に保持するシール用シリンダーと、
前記シール用シリンダーの前記複数の押圧片を収容する貫通孔を有し、前記ケーブルの一端が接続されたコンタクト端子が前記ハウジングに収容される場合、前記シール用シリンダーの複数の押圧片を前記シール用チューブとともに該ハウジング内の該ケーブルの外周部に向けて押圧する押さえ部材と、を備え、
前記シール用シリンダーの複数の係合部が、前記押さえ部材の貫通孔の周縁に形成される被係合部に対し移動可能に係合されることを特徴とするケーブル用コネクタの防水構造。
【請求項２】
前記押さえ部材の貫通孔は、一端に向けて開口する大径部と、該一端に向き合う他端の壁部に形成される小径部と、該大径部と該小径部との間に形成され円錐面を有する縮小部とを共通の中心軸線上に有し、前記シール用シリンダーの前記複数の係合部は、それぞれ、半径方向に突出する突起部とされ、前記大径部に形成される雌ねじ部の最端のねじ山に係合されることを特徴とする請求項１記載のケーブル用コネクタの防水構造。
【請求項３】
前記シール用シリンダーの複数の押圧片は、それぞれ、半径方向に延びる中心線を含む平面に対し所定のすくい角をなすすくい面を有していることを特徴とする請求項１または請求項２記載のケーブル用コネクタの防水構造。
【請求項４】
前記シール用シリンダーは、前記コンタクト端子を収容するコンタクト収容部を有し、
前記コンタクト端子は、前記ケーブルの内部導体が配される導体接続部と、該導体接続部に回動可能に配され、該ケーブルの内部導体を該導体接続部に対し保持するロック位置、および、該ケーブルの内部導体を該導体接続部に対し解放するアンロック位置をとるクリップ片とを有し、
前記コンタクト端子の導体接続部は、クリップ片の一端と協働してケーブルの内部導体を保持するロック用爪部をさらに備えることを特徴とする請求項１乃至請求項３のうちのいずれかに記載のケーブル用コネクタの防水構造。
【請求項５】
ケーブルの一端が接続された棒状の接触端部を有するプラグコンタクト端子を着脱可能に収容するプラグハウジングと、
前記プラグハウジング内に挿入されたケーブルの外周部に装着されるシール用チューブと、
前記プラグハウジング内に配され複数の押圧片と、該押圧片の外周部における共通の円周上に形成される複数の係合部とを有し、該プラグハウジング内に挿入された前記ケーブルの外周部に装着される前記シール用チューブを前記複数の押圧片の内側に保持するシール用シリンダーと、
前記シール用シリンダーの前記複数の押圧片を収容する貫通孔を有し、前記ケーブルの一端が接続されたプラグコンタクト端子が前記プラグハウジングに収容される場合、前記シール用シリンダーの複数の押圧片を前記シール用チューブとともに前記プラグハウジング内の該ケーブルの外周部に向けて押圧する押さえ部材と、を備え、
前記シール用シリンダーの複数の係合部が、前記押さえ部材の貫通孔の周縁に形成される被係合部に対し移動可能に係合されることを特徴とするプラグコネクタ。
【請求項６】
前記押さえ部材の貫通孔は、一端に向けて開口する大径部と、該一端に向き合う他端の壁部に形成される小径部と、該大径部と該小径部との間に形成され円錐面を有する縮小部とを共通の中心軸線上に有し、前記シール用シリンダーの前記複数の係合部は、それぞれ、半径方向に突出する突起部とされ、前記大径部に形成される雌ねじ部の最端のねじ山に係合されることを特徴とする請求項５記載のプラグコネクタ。
【請求項７】
前記シール用シリンダーの複数の押圧片は、それぞれ、半径方向に延びる中心線を含む平面に対し所定のすくい角をなすすくい面を有していることを特徴とする請求項５記載のプラグコネクタ。
【請求項８】
前記シール用シリンダーは、前記コンタクト端子を収容するコンタクト収容部を有し、
前記コンタクト端子は、前記ケーブルの内部導体が配される導体接続部と、該導体接続部に回動可能に配され、該ケーブルの内部導体を該導体接続部に対し保持するロック位置、および、該ケーブルの内部導体を該導体接続部に対し解放するアンロック位置をとるクリップ片とを有し、
前記コンタクト端子の導体接続部は、クリップ片の一端と協働してケーブルの内部導体を保持するロック用爪部をさらに備えることを特徴とする請求項５記載のプラグコネクタ。
【請求項９】
ケーブルの一端が接続された円筒状の接触端部を有するレセプタクルコンタクト端子を着脱可能に収容するレセプタクルハウジングと、
前記レセプタクルハウジング内に挿入されたケーブルの外周部に装着されるシール用チューブと、
前記シール用シリンダーの前記複数の押圧片を収容する貫通孔を有し、前記レセプタクルハウジング内に配され複数の押圧片と、該押圧片の外周部における共通の円周上に形成される複数の係合部とを有し、該レセプタクルハウジング内に挿入された前記ケーブルの外周部に装着されるシール用チューブを前記複数の押圧片の内側に保持するシール用シリンダーと、
前記ケーブルの一端が接続されたレセプタクルコンタクト端子が前記レセプタクルハウジングに収容される場合、前記シール用シリンダーの複数の押圧片を前記シール用チューブとともに該レセプタクルハウジング内の該ケーブルの外周部に向けて押圧する押さえ部材と、を備え、
前記シール用シリンダーの複数の係合部が、前記押さえ部材の貫通孔の周縁に形成される被係合部に対し移動可能に係合されることを特徴とするレセプタクルコネクタ。
【請求項１０】
前記押さえ部材の貫通孔は、一端に向けて開口する大径部と、該一端に向き合う他端の壁部に形成される小径部と、該大径部と該小径部との間に形成され円錐面を有する縮小部とを共通の中心軸線上に有し、前記シール用シリンダーの前記複数の係合部は、それぞれ、半径方向に突出する突起部とされ、前記大径部に形成される雌ねじ部の最端のねじ山に係合されることを特徴とする請求項９記載のレセプタクルコネクタ。
【請求項１１】
前記シール用シリンダーの複数の押圧片は、それぞれ、半径方向に延びる中心線を含む平面に対し所定のすくい角をなすすくい面を有していることを特徴とする請求項９記載の
レセプタクルコネクタ。
【請求項１２】
前記シール用シリンダーは、前記コンタクト端子を収容するコンタクト収容部を有し、
前記コンタクト端子は、前記ケーブルの内部導体が配される導体接続部と、該導体接続部に回動可能に配され、該ケーブルの内部導体を該導体接続部に対し保持するロック位置、および、該ケーブルの内部導体を該導体接続部に対し解放するアンロック位置をとるクリップ片とを有し、
前記コンタクト端子の導体接続部は、クリップ片の一端と協働してケーブルの内部導体を保持するロック用爪部をさらに備えることを特徴とする請求項９記載のレセプタクルコネクタ。
【発明の詳細な説明】
【技術分野】
【０００１】
本発明は、ケーブル用コネクタの防水構造、それを用いたプラグコネクタ、レセプタクルコネクタに関する。
【背景技術】
【０００２】
太陽光発電用モジュール相互間、および、太陽光発電用モジュールと配電盤との間においては、一般に、その相互間を電気的に接続する防水型のケーブル用コネクタが実用に供されている。そのようなケーブル用コネクタは、例えば、特許文献１にも示されるように、コンタクト端子としての雄型端子金具と、その雄型端子金具の電線圧着部およびケーブルの絶縁外皮を覆う封止チューブと、そのケーブルの一端にモールドにより結合されるハウジングとを含んで構成されている。
【０００３】
熱収縮性の合成樹脂で成形された筒状の封止チューブの一端は、ケーブルの絶縁外皮の端末に接着され、また、封止チューブの他端は、雄型端子金具の電線圧着部に接着されている。これにより、ケーブルの絶縁外皮の端末および雄型端子金具の電線圧着部が、封止チューブにより封止されることとなる。
【０００４】
さらに、封止チューブにより封止されたケーブルの絶縁外皮の端末および雄型端子金具の電線圧着部は、モールドにより、上述のハウジングの内部に埋め込まれている。従って、外部の雨水等の液体がケーブルの絶縁外皮を伝わってハウジング内の雄型端子金具および電線圧着部へ侵入することが防止される。また、ケーブルの接続端部が、モールドにより、ハウジング内に十分な保持力によって確実に保持されることとなる。
【先行技術文献】
【特許文献】
【０００５】
【特許文献１】特開２００２−２９８６５６号公報
【発明の概要】
【発明が解決しようとする課題】
【０００６】
上述のようなケーブル用コネクタを用いて太陽光発電用モジュールの設置工事を行うにあたっては、例えば、所定の長さに設定されたケーブルの端部に上述のコネクタが接続されたものが予め準備されるもとで、その設置工事が実施されることとなる。
【０００７】
しかしながら、設置工事において、現場で太陽光発電用モジュールの設置位置の変更等により、必要なケーブルの長さが、やむを得ず変更される場合がある。このような場合、上述のケーブル用コネクタにおいては、変更された長さのケーブルの端部に上述のコネクタが接続されたものをモールドによって作製する必要がある。従って、現場ではケーブルの端部に上述のコネクタが接続されたものを作製することは、困難となるので設置工事が新たなケーブルが準備されるまで中断するという問題を生じる。
【０００８】
以上の問題点を考慮し、本発明は、ケーブル用コネクタの防水構造、それを用いたプラグコネクタ、および、レセプタクルコネクタであって、モールド成形を要することなくケーブルの端部にケーブル用コネクタを容易に、かつ、十分な保持力で取付けることができ、しかも、ケーブル用コネクタ内部への液体の侵入を確実に防止することができるケーブル用コネクタの防水構造、それを用いたプラグコネクタ、および、レセプタクルコネクタを提供することを目的とする。
【課題を解決するための手段】
【０００９】
上述の目的を達成するために、本発明に係るケーブル用コネクタの防水構造は、ケーブルの一端が接続されたコンタクト端子を着脱可能に収容するハウジングと、ハウジング内に配され複数の押圧片と、押圧片の外周部における共通の円周上に形成される複数の係合部とを有し、ハウジング内に挿入されたケーブルの外周部に装着されるシール用チューブを複数の押圧片の内側に保持するシール用シリンダーと、シール用シリンダーの複数の押圧片を収容する貫通孔を有し、ケーブルの一端が接続されたコンタクト端子がハウジングに収容される場合、シール用シリンダーの複数の押圧片をシール用チューブとともにハウジング内のケーブルの外周部に向けて押圧する押さえ部材と、を備え、シール用シリンダーの複数の係合部が、押さえ部材の貫通孔の周縁に形成される被係合部に対し移動可能に係合されることを特徴とする。
【００１０】
押さえ部材の貫通孔は、一端に向けて開口する大径部と、一端に向き合う他端の壁部に形成される小径部と、大径部と該小径部との間に形成され円錐面を有する縮小部とを共通の中心軸線上に有し、シール用シリンダーの複数の係合部は、それぞれ、半径方向に突出する突起部とされ、大径部に形成される雌ねじ部の最端のねじ山に係合されてもよい。
【００１１】
シール用シリンダーの複数の押圧片は、それぞれ、半径方向に延びる中心線を含む平面に対し所定のすくい角をなすすくい面を有しているものでもよい。
【００１２】
シール用シリンダーは、コンタクト端子を収容するコンタクト収容部を有し、コンタクト端子は、ケーブルの内部導体が配される導体接続部と、導体接続部に回動可能に配され、ケーブルの内部導体を導体接続部に対し保持するロック位置、および、ケーブルの内部導体を導体接続部に対し解放するアンロック位置をとるクリップ片とを有し、コンタクト端子の導体接続部は、クリップ片の一端と協働してケーブルの内部導体を保持するロック用爪部をさらに備えてもよい。
【００１３】
また、本発明に係るプラグコネクタは、ケーブルの一端が接続された棒状の接触端部を有するプラグコンタクト端子を着脱可能に収容するプラグハウジングと、プラグハウジング内に挿入されたケーブルの外周部に装着されるシール用チューブと、プラグハウジング内に配され複数の押圧片と、押圧片の外周部における共通の円周上に形成される複数の係合部とを有し、プラグハウジング内に挿入されたケーブルの外周部に装着されるシール用チューブを複数の押圧片の内側に保持するシール用シリンダーと、シール用シリンダーの複数の押圧片を収容する貫通孔を有し、ケーブルの一端が接続されたプラグコンタクト端子がプラグハウジングに収容される場合、シール用シリンダーの複数の押圧片をシール用チューブとともにプラグハウジング内のケーブルの外周部に向けて押圧する押さえ部材と、を備え、シール用シリンダーの複数の係合部が、押さえ部材の貫通孔の周縁に形成される被係合部に対し移動可能に係合されることを特徴とする。
【００１４】
押さえ部材の貫通孔は、一端に向けて開口する大径部と、一端に向き合う他端の壁部に形成される小径部と、大径部と小径部との間に形成され円錐面を有する縮小部とを共通の中心軸線上に有し、シール用シリンダーの複数の係合部は、それぞれ、半径方向に突出する突起部とされ、大径部に形成される雌ねじ部の最端のねじ山に係合されてもよい。
【００１５】
シール用シリンダーの複数の押圧片は、それぞれ、半径方向に延びる中心線を含む平面に対し所定のすくい角をなすすくい面を有してもよい。
【００１６】
シール用シリンダーは、コンタクト端子を収容するコンタクト収容部を有し、コンタクト端子は、ケーブルの内部導体が配される導体接続部と、導体接続部に回動可能に配され、ケーブルの内部導体を導体接続部に対し保持するロック位置、および、ケーブルの内部導体を導体接続部に対し解放するアンロック位置をとるクリップ片とを有し、コンタクト端子の導体接続部は、クリップ片の一端と協働してケーブルの内部導体を保持するロック用爪部をさらに備えてもよい。
【００１７】
さらに、本発明に係るレセプタクルコネクタは、ケーブルの一端が接続された円筒状の接触端部を有するレセプタクルコンタクト端子を着脱可能に収容するレセプタクルハウジングと、レセプタクルハウジング内に挿入されたケーブルの外周部に装着されるシール用チューブと、シール用シリンダーの複数の押圧片を収容する貫通孔を有し、レセプタクルハウジング内に配され複数の押圧片と、押圧片の外周部における共通の円周上に形成される複数の係合部とを有し、レセプタクルハウジング内に挿入されたケーブルの外周部に装着されるシール用チューブを複数の押圧片の内側に保持するシール用シリンダーと、ケーブルの一端が接続されたレセプタクルコンタクト端子がレセプタクルハウジングに収容される場合、シール用シリンダーの複数の押圧片をシール用チューブとともにレセプタクルハウジング内のケーブルの外周部に向けて押圧する押さえ部材と、を備え、シール用シリンダーの複数の係合部が、押さえ部材の貫通孔の周縁に形成される被係合部に対し移動可能に係合されることを特徴とする。
【００１８】
押さえ部材の貫通孔は、一端に向けて開口する大径部と、一端に向き合う他端の壁部に形成される小径部と、大径部と小径部との間に形成され円錐面を有する縮小部とを共通の中心軸線上に有し、シール用シリンダーの複数の係合部は、それぞれ、半径方向に突出する突起部とされ、大径部に形成される雌ねじ部の最端のねじ山に係合されてもよい。
【００１９】
シール用シリンダーの複数の押圧片は、それぞれ、半径方向に延びる中心線を含む平面に対し所定のすくい角をなすすくい面を有してもよい。
【００２０】
シール用シリンダーは、コンタクト端子を収容するコンタクト収容部を有し、コンタクト端子は、ケーブルの内部導体が配される導体接続部と、導体接続部に回動可能に配され、ケーブルの内部導体を導体接続部に対し保持するロック位置、および、ケーブルの内部導体を導体接続部に対し解放するアンロック位置をとるクリップ片とを有し、コンタクト端子の導体接続部は、クリップ片の一端と協働してケーブルの内部導体を保持するロック用爪部をさらに備えてもよい。
【発明の効果】
【００２１】
本発明に係るケーブル用コネクタの防水構造、それを用いたプラグコネクタ、および、レセプタクルコネクタによれば、ケーブルの一端が接続されたコンタクト端子を着脱可能に収容するハウジング、シール用チューブを複数の押圧片の内側に保持するシール用シリンダー、および、押さえ部材を備え、シール用シリンダーの複数の係合部が、押さえ部材の貫通孔の周縁に形成される被係合部に対し移動可能に係合されるのでモールド成形を要することなくケーブルの端部にケーブル用コネクタを容易に取付けることができ、しかも、押さえ部材が、ケーブルの一端が接続されたコンタクト端子がハウジングに収容される場合、シール用シリンダーの複数の押圧片をシール用チューブとともにハウジング内のケーブルの外周部に向けて押圧するのでケーブルが十分な保持力で取付けられた状態でケーブル用コネクタ内部への液体の侵入を確実に防止することができる。
【図面の簡単な説明】
【００２２】
【図１】本発明に係るケーブル用コネクタの防水構造の一例に用いられるコンタクト端子、コンタクト／シール用シリンダーおよび段付押さえナット部材をケーブルとともに示す断面図である。
【図２】本発明に係るケーブル用コネクタの防水構造の一例が適用されたプラグコネクタおよびレセプタクルコネクタを、離隔した状態で示す断面図である。
【図３】本発明に係るケーブル用コネクタの防水構造の一例が適用されたプラグコネクタおよびレセプタクルコネクタを接続した状態で示す外観図である。
【図４】図２に示されるプラグコネクタを分解して示す正面図である。
【図５】図２に示されるレセプタクルコネクタを分解して示す正面図である。
【図６】（Ａ）は、図２に示される例に用いられるコンタクト／シール用シリンダーを示す斜視図であり、（Ｂ）は、（Ａ）に示される例における正面図である。
【図７】図２に示される例に用いられる段付押さえナット部材の断面図である。
【図８】（Ａ）は、図２に示される例に用いられるレセプタクルコンタクト端子の外観を示す斜視図であり、（Ｂ）は、（Ａ）に示される例における断面図である。
【図９】（Ａ）は、図２に示される例に用いられるプラグコンタクト端子の外観を示す斜視図であり、（Ｂ）は、（Ａ）に示される例における断面図である。
【図１０】図２に示される例における組み立ての説明に供される斜視図である。
【図１１】図２に示される例における組み立ての説明に供される部分拡大断面図である。
【発明を実施するための形態】
【００２３】
図３は、本発明に係るケーブル用コネクタの防水構造の一例が適用されたケーブル用コネクタの外観を示す。なお、そのケーブル用コネクタは、後述するレセプタクルコネクタおよびプラグコネクタを含んでなるものとされる。図３においては、レセプタクルコネクタおよびプラグコネクタが接続された状態を示す。
【００２４】
図３に示されるケーブル用コネクタは、例えば、太陽光発電用モジュール相互間を接続するケーブルの両端部、あるいは、太陽光発電用モジュールと配電盤との間を接続するケーブルの端部、中継コネクタと太陽光発電用モジュールとの間を接続するケーブルの端部に取付けられるものとされる。
【００２５】
図３において、ケーブルＣＡは、例えば、太陽光モジュール接続用ケーブル（型式ＫＳＫ−、金子コード社製）とされ、１心の内部導体と、その内部導体を被覆する架橋ポリエチレン絶縁体と、内部導体および架橋ポリエチレン絶縁体を被覆する耐燃性架橋ポリエチレンシースとから構成されている。耐燃性架橋ポリエチレンシースは、例えば、約７ｍｍ程度の外径を有している。また、内部導体は、例えば、約２〜３ｍｍ程度の外径を有している。
【００２６】
図３において、プラグコネクタ１０およびレセプタクルコネクタ３０は、互いに着脱可能に接続されている。プラグコネクタ１０は、図２および図４に示されるように、ケーブルＣＡの一端の内部導体に接続されるプラグコンタクト端子２０と、ケーブルＣＡの一端が挿入される貫通孔を有しプラグコンタクト端子２０を保持する筒状のコンタクト／シール用シリンダー１４と、ケーブルＣＡの一端の外周部とコンタクト／シール用シリンダー１４の内周部との間を密封するシール用チューブ１６と、シール用チューブ１６が内側に挿入されたコンタクト／シール用シリンダー１４、および、プラグコンタクト端子２０を収容するプラグハウジング１８と、プラグハウジング１８の雄ねじ部１８ＭＳにねじ込まれる雌ねじ部１２ＦＳを有しコンタクト／シール用シリンダー１４をプラグコンタクト端子２０の中心軸線に沿って一方向に押圧するとともに、コンタクト／シール用シリンダー１４の複数の押圧片１４Ｐｉをシール用チューブ１６の外周部に向けて押圧する段付押さえナット部材１２と、を主な構成要素として含んで構成されている。
【００２７】
プラグコンタクト端子２０は、図９（Ａ）および（Ｂ）に示されるように、例えば、薄板金属材料でプレス加工により一体に成形され、後述するレセプタクルコンタクト端子４０の筒状の接触端部４４の孔４４ａに嵌合される中空棒状の接触端部２４と、後述するようにケーブルＣＡの一端の内部導体を選択的に押圧保持し接続する導体接続部２６とを含んで構成されている。
【００２８】
溝形の導体接続部２６は、一端が開口し、ケーブルＣＡの一端の内部導体がその開口端部から挿入される導体収容部を内側に有している。導体収容部は、お互いに向かい合う平行な壁部相互間に形成されている。
【００２９】
また、導体接続部２６は、導体収容部内に挿入されたケーブルＣＡの一端の内部導体を導体接続部２６に対しロック状態またはアンロック状態とするクリップ片２８を回動可能に有している。なお、図９（Ａ）および（Ｂ）において実線で示される状態は、クリップ片２８のアンロック状態を示す。クリップ片２８の下方位置となる導体収容部の底部を形成する部分には、ロック用爪部２６Ｎが内側に向けて突出している。
【００３０】
クリップ片２８がロック状態となる場合、弾性変位可能な接触片２８Ｐとしてのクリップ片２８の一端とロック用爪部２６Ｎとが、図９（Ｂ）において二点鎖線で示されるように、ケーブルＣＡの一端の内部導体を挟持し保持する。これにより、プラグコンタクト端子２０におけるケーブルＣＡの一端の内部導体を保持する保持力が高められる。
【００３１】
また、操作片としてのクリップ２８の湾曲した他端は、略Ｔ字状に形成される一対の係合部２８ａを有する。導体接続部２６における接触端部２４側の各壁部に形成される鉤状部２６Ｋと一対の係合部２８ａとがそれぞれ、係合されることにより、係合部２８ａを含むクリップ２８の他端は、その弾性力によりロック状態に保持される。一方、クリップ２８の湾曲した他端の一対の係合部２８ａが弾性力に抗して鉤状部２６Ｋから取り外されることにより、ケーブルＣＡの一端の内部導体がクリップ片２８の一端とロック用爪部２６Ｎとの間から離脱可能とされる。
【００３２】
従って、半田付け作業、かしめ作業等を要することなく、簡易な作業でプラグコンタクト端子２０にケーブルＣＡの一端を着脱可能に接続することが可能とされる。
【００３３】
プラグコンタクト端子２０の導体接続部２６は、コンタクト／シール用シリンダー１４のコンタクト収容部１４Ａに配されている。導体接続部２６の一対の端部２６Ｅは、それぞれ、後述するコンタクト／シール用シリンダー１４の各スリット１４Ｃ（図４参照）に挿入される。また、導体接続部２６の壁部における各鉤状部２６Ｋに隣接した各切欠部２６Ｓの周縁には（図９（Ｂ）参照）、コンタクト収容部１４Ａを形成する両壁部にそれぞれ、設けられる爪部１４ＮＡ（図６（Ａ）参照）が係合される。これにより、プラグコンタクト端子２０がコンタクト収容部１４Ａに固定される。
【００３４】
コンタクト／シール用シリンダー１４は、例えば、樹脂材料で一体に成形され、図６（Ａ）に示されるように、一端にプラグコンタクト端子２０の導体接続部２６を収容するコンタクト収容部１４Ａと、他端に筒状に形成されケーブルＣＡの一端部を着脱可能に把持するケーブル把持部１４Ｂと、を含んで構成されている。
【００３５】
内側に貫通孔１４Ｈを有するケーブル把持部１４Ｂは、複数の押圧片１４Ｐｉ（ｉ＝１〜１２）をその貫通孔１４Ｈの周縁に有している。複数の押圧片１４Ｐｉは、図６（Ｂ）に示されるように、それぞれ、互いに略同一の横断面形状を有し円周方向に沿って均等間隔で形成されている。各押圧片１４Ｐｉの基端は、共通の円筒部に一体に形成されている。各押圧片１４Ｐｉは、半径方向に延びる中心線を含む平面に対し所定のすくい角βをなすすくい面を有している。隣接する押圧片１４Ｐｉは、所定の均等な隙間ＧＡをもって貫通孔１４Ｈの中心軸線に沿って延びている。また、押圧片１４Ｐｉは、所定の横断面積を有するように上述のすくい面に対し所定の角度αをなす端面を有している。これにより、後述するように、段付押さえナット部材１２により押圧片１４Ｐｉが互いに近接するように押圧される場合、隣接した複数の押圧片１４Ｐｉは、その内径を縮小し互いに重なり合うように収斂可能とされる。従って、図１１に拡大されて示されるように、各押圧片１４Ｐｉの先端部は、貫通孔１４Ｈの周縁に配されるシール用チューブ１６を、挿入されたケーブルＣＡの一端部の外周面に向けて押圧するとともに、ケーブルＣＡの一端部の外周部に食い込みケーブルＣＡを保持する。
【００３６】
また、図６（Ａ）および（Ｂ）に示されるように、複数の押圧片１４Ｐｉのうちの４個の押圧片１４Ｐｉの基端部における共通の円周上に係止用突起部１４Ｂｎ１，１４Ｂｎ２，１４Ｂｎ３，および、１４Ｂｎ４が、形成されている。係合部としての係止用突起部１４Ｂｎ１〜１４Ｂｎ４は、互いに同一形状を有し、半径方向外方に向けて放射状に突出している。係止用突起部１４Ｂｎ１〜１４Ｂｎ４は、それぞれ、後述するように、段付押さえナット部材１２の雌ねじ部１２ＦＳのねじ山に移動可能に嵌め合わされる。これにより、図１に示されるように、押圧片１４Ｐｉが大径部１２ｂに収容される場合、係止用突起部１４Ｂｎ１〜１４Ｂｎ４は、被係合部としての段付押さえナット部材１２の雌ねじ部１２ＦＳの最端のねじ山１２ｆｓｂに係止される。従って、コンタクト／シール用シリンダー１４と、段付押さえナット部材１２とは、お互いに相対回転させない限り、お互い容易に外れない。その際、コンタクト／シール用シリンダー１４が段付押さえナット部材１２に対し脱落する虞がないのでケーブルＣＡの一端部をコンタクト／シール用シリンダー１４の孔およびナット部材１２の孔に一度に挿入する操作が容易となる。
【００３７】
なお、押圧片１４Ｐｉの数量は、斯かる例に限られるものではなく、例えば、１２個未満、あるいは、１２個を超える数量であってもよい。また、係止用突起部１４Ｂｎ１〜１４Ｂｎ４の数量も、斯かる例に限られるものではなく、例えば、２個〜３個、あるいは、４個を超える数量であっても良い。
【００３８】
コンタクト／シール用シリンダー１４のコンタクト収容部１４Ａの一方の端部は、複数の押圧片１４Ｐｉの内側の貫通孔１４Ｈに連通している。また、コンタクト収容部１４Ａの両側部を形成する双方の壁部１４Ｗには、上述の導体接続部２６を保持する爪部１４ＮＡが相対向して形成されている。
【００３９】
ケーブル把持部１４Ｂとコンタクト収容部１４Ａとの境界部分には、Ｏリング２２が挿入される溝１４Ｇ（図４参照）が形成されている。これにより、図２に示されるように、後述する段付押さえナット部材１２の雌ねじ部１２ＦＳとプラグハウジング１８の雄ねじ部１８ＭＳとの間を通じて流れ込む不所望な液体が、プラグハウジング１８の内部に侵入することが回避される。
【００４０】
また、押圧片１４Ｐｉの内周部には、図１１に部分的に拡大されて示されるように、シール用チューブ１６が装着される環状の凹部１４ｂが形成されている。
【００４１】
例えば、ゴム材料で筒状に作られるシール用チューブ１６の内径は、ケーブルＣＡの外周部が挿入可能とされるように、ケーブルＣＡの外径よりも若干大に設定されている。また、シール用チューブ１６の外径は、上述のコンタクト／シール用シリンダー１４の環状の凹部１４ｂの直径と略同一に設定されている。
【００４２】
６角面を外周部の一端に有する段付押さえナット部材１２は、図７に拡大されて示されるように、例えば、樹脂材料で成形され、中心軸線に沿って貫通孔１２Ａを有している。
貫通孔１２Ａは、段付押さえナット部材１２の他端の開口端に向けて開口する大径部１２ｂと、段付押さえナット部材１２の一端の壁部１２Ｗに形成され、大径部１２ｂの内径よりも小さい内径を有する小径部１２ｅと、大径部１２ｂと小径部１２ｅとの間に形成され、小径部１２ｅ側に向かうにつれて徐々に内径が小さくなる縮小部１２ｄとから形成されている。大径部１２ｂは、所定の長さの雌ねじ部１２ＦＳを有している。大径部１２ｂの内径は、雌ねじ部１２ＦＳの谷の径と略同一に設定されている。雌ねじ部１２ＦＳの谷の径は、上述のコンタクト／シール用シリンダー１４の係止用突起部１４Ｂｎ１〜１４Ｂｎ４の最大外径寸法よりも若干大に設定されている。これにより、コンタクト／シール用シリンダー１４の係止用突起部１４Ｂｎ１〜１４Ｂｎ４は、大径部１２ｂの内周面に対し摺動可能とされるとともに、雌ねじ部１２ＦＳの最端のねじ山１２ｆｓｂに係止されるのでコンタクト／シール用シリンダー１４が段付押さえナット部材１２に対し相対回転しない限り、脱落する虞がない。また、大径部１２ｂにおける最端のねじ山１２ｆｓｂの谷から縮小部１２ｄの端までの寸法Ｌａは、コンタクト／シール用シリンダー１４の押圧片１４Ｐｉの先端から係止用突起部１４Ｂｎ１〜１４Ｂｎ４までの寸法Ｌｂ（図４参照）に比して大に設定されている。
【００４３】
縮小部１２ｄは、挿入されたコンタクト／シール用シリンダー１４の複数の押圧片１４Ｐｉの先端を収斂させるように円錐面を有している。
【００４４】
プラグハウジング１８は、図２に示されるように、例えば、樹脂材料で成形され、段付押さえナット部材１２の雌ねじ部１２ＦＳがねじ込まれる雄ねじ部１８ＭＳを一端に有している。雄ねじ部１８ＭＳは、雌ねじ部１２ＦＳに対向するようにプラグハウジング１８の外周部に形成されている。プラグハウジング１８の他端には、後述のレセプタクルコネクタ３０のレセプタクルハウジング３８の接続端部３８Ｂの末端が挿入される小径部１８Ｂと、接続端部３８Ｂの基端が挿入される大径部１８Ｅとが内側に形成されている。小径部１８Ｂには、プラグコンタクト端子２０の接触端部２４が軸線方向に沿って突出している。
【００４５】
雄ねじ部１８ＭＳの内側には、コンタクト／シール用シリンダー１４のコンタクト収容部１４Ａおよびプラグコンタクト端子２０の導体接続部２６を収容する導体接続部収容部１８Ａが形成されている。導体接続部収容部１８Ａと小径部１８Ｂとの間には、連通部１８Ｃが形成されている。また、大径部１８Ｅの周囲には、レセプタクルコネクタ３０の一対のロック用爪部３８ＮＡおよび３８ＮＢがそれぞれ、挿入されるスリット１８ＤＡおよび１８ＤＢが相対向して形成されている。スリット１８ＤＡおよび１８ＤＢの端部には、それぞれ、孔１８ｄａおよび１８ｄｂが形成されている。これにより、レセプタクルコネクタ３０とプラグコネクタ１０とが接続される場合、孔１８ｄａおよび１８ｄｂの周縁には、図３に示されるように、一対のロック用爪部３８ＮＡおよび３８ＮＢの先端が係止される。レセプタクルコネクタ３０とプラグコネクタ１０とが引き離される場合、所定の治具（不図示）が孔１８ｄａおよび１８ｄｂに挿入されることによって、一対のロック用爪部３８ＮＡおよび３８ＮＢの先端が孔１８ｄａおよび１８ｄｂの周縁に対し離隔され、非係止状態とされる。
【００４６】
斯かる構成において、ケーブルＣＡの一端が導体接続部２６に接続されたプラグコンタクト端子２０をプラグハウジング１８に組み付けるにあたっては、先ず、シール用チューブ１６が装着されたコンタクト／シール用シリンダー１４のケーブル把持部１４Ｂが、段付押さえナット部材１２の雌ねじ部１２ＦＳに嵌め合わされた後、大径部１２ｂ内に挿入される。これにより、コンタクト／シール用シリンダー１４と段付押さえナット部材１２とが組み合わされ、一つの部品とされる。次に、プラグコンタクト端子２０の導体接続部２６がコンタクト／シール用シリンダー１４のコンタクト収容部１４Ａに固定される。続いて、ケーブルＣＡの一端の内部導体が、段付押さえナット部材１２の孔１２Ａ，シール用チューブ１６の孔、および、コンタクト／シール用シリンダー１４の孔１４Ｈを通じて、クリップ片２８がアンロック状態で、導体接続部２６に挿入された後、クリップ片２８がロック状態とされる。続いて、ケーブルＣＡが把持された状態で、ケーブルＣＡの一端に接続されたプラグコンタクト端子２０が、プラグハウジング１８の導体接続部収容部１８Ａ、連通部１８Ｃを通じて挿入される。これにより、図２に示されるように、プラグコンタクト端子２０の接触端部２４が小径部１８Ｂに突出することとなる。そして、段付押さえナット部材１２の雌ねじ部１２ＦＳがプラグハウジング１８の雄ねじ部１８ＭＳにねじ込まれ、その組み付けが終了する。
【００４７】
これにより、図１１に部分的に拡大されて示されるように、段付押さえナット部材１２の縮小部１２ｄが、コンタクト／シール用シリンダー１４の各押圧片１４Ｐｉの先端部を弾性力に抗して収斂するように押圧するとともに、プラグコンタクト端子２０およびコンタクト／シール用シリンダー１４全体を中心軸線に沿って連通部１８Ｃに向けて押圧する。これにより、シール用チューブ１６の内周部がケーブルＣＡの外周部に密着せしめられるとともに、シール用チューブ１６の外周部が変位した凹部１４ｂを形成する内周面に密着される。従って、不所望な外部からの液体がケーブルＣＡの外周部を伝わってプラグハウジング１８内に侵入することがシール用チューブ１６により防止される。また、コンタクト／シール用シリンダー１４の各押圧片１４Ｐｉの先端部がケーブルＣＡの外周部に食い込むのでプラグコネクタ１０におけるケーブルＣＡの保持力が高められる。
【００４８】
一方、レセプタクルコネクタ３０は、図２および図５に示されるように、ケーブルＣＡの一端の内部導体に接続されるレセプタクルコンタクト端子４０と（図８（Ａ），（Ｂ）参照）、ケーブルＣＡの一端が挿入される貫通孔を有しレセプタクルコンタクト端子４０を保持する筒状のコンタクト／シール用シリンダー１４と、ケーブルＣＡの一端の外周部とコンタクト／シール用シリンダー１４の内周部との間を密封するシール用チューブ１６と、シール用チューブ１６が内側に挿入されたコンタクト／シール用シリンダー１４、および、レセプタクルコンタクト端子４０を収容するレセプタクルハウジング３８と、レセプタクルハウジング３８の雄ねじ部３８ＭＳにねじ込まれる雌ねじ部１２ＦＳを有しコンタクト／シール用シリンダー１４をレセプタクルコンタクト端子４０の中心軸線に沿って一方向に押圧するとともに、コンタクト／シール用シリンダー１４の押圧片１４Ｐｉをシール用チューブ１６の外周部に向けて押圧する段付押さえナット部材１２と、を主な構成要素として含んで構成されている。
【００４９】
なお、図２および図５においては、図４に示される例において構成する同一の構成要素について同一の符号を付して示し、その重複説明を省略する。
【００５０】
レセプタクルコンタクト端子４０は、図８（Ａ）および（Ｂ）に示されるように、例えば、薄板金属材料でプレス加工により一体に成形され、上述のプラグコンタクト端子２０の筒状の接触端部２４が嵌合される孔４４ａを有する円筒状の接触端部４４と、ケーブルＣＡの一端の内部導体を選択的に押圧し接続する導体接続部４６とを含んで構成されている。接触端部４４の内周部には、密着用スリーブ３４が嵌合されている。溝形の導体接続部４６は、一端が開口し、ケーブルＣＡの一端の内部導体がその開口端部から挿入される導体収容部を内側に有している。その導体収容部は、お互いに向かい合う平行な壁部相互間に形成されている。
【００５１】
また、導体接続部４６は、導体収容部内に挿入されたケーブルＣＡの一端の内部導体を導体接続部４６に対しロック状態またはアンロック状態とするクリップ片４２を回動可能に有している。なお、図８（Ａ）および（Ｂ）において実線で示される状態は、クリップ片４２のロック状態を示す。クリップ片４２の下方位置となる導体収容部の底部を形成する部分には、ロック用爪部４６Ｎが内側に向けて突出している。
【００５２】
クリップ片４２がロック状態となる場合、弾性変位可能な接触片４２Ｐとしてのクリップ片４２の一端とロック用爪部４６Ｎとが、ケーブルＣＡの一端の内部導体を挟持し保持する。これにより、レセプタクルコンタクト端子４０におけるケーブルＣＡの一端の内部導体を保持する保持力が高められる。
【００５３】
また、操作片としてのクリップ４２の湾曲した他端は、略Ｔ字状に形成される一対の係合部４２ａを有する。導体接続部４６における接触端部４４側の各壁部に形成される鉤状部４６Ｋと一対の係合部４２ａとがそれぞれ、係合されることにより、係合部４２ａを含むクリップ４２の他端は、その弾性力によりロック状態に保持される。一方、クリップ４２の湾曲した他端の一対の係合部４２ａが弾性力に抗して鉤状部４６Ｋから取り外されることにより、ケーブルＣＡの一端の内部導体がクリップ片４２の一端とロック用爪部４６Ｎとの間から離脱可能とされる。
【００５４】
従って、半田付け作業、かしめ作業等を要することなく、簡易な作業でレセプタクルコンタクト端子４０にケーブルＣＡの一端を着脱可能に接続することが可能とされる。
【００５５】
レセプタクルコンタクト端子４０の導体接続部４６は、コンタクト／シール用シリンダー１４のコンタクト収容部１４Ａに配されている。導体接続部４６の一対の端部４６Ｅは、それぞれ、上述のコンタクト／シール用シリンダー１４の各スリット１４Ｃ（図４参照）に挿入される。また、導体接続部４６の壁部における各鉤状部４６Ｋに隣接した各切欠部４６Ｓの周縁には（図８（Ｂ）参照）、コンタクト収容部１４Ａを形成する両壁部にそれぞれ、設けられる爪部１４ＮＡ（図６（Ａ）参照）が係合される。これにより、レセプタクルコンタクト端子４０がコンタクト収容部１４Ａに固定される。
【００５６】
レセプタクルハウジング３８は、図２および図５に示されるように、例えば、樹脂材料で成形され、段付押さえナット部材１２の雌ねじ部１２ＦＳがねじ込まれる雄ねじ部３８ＭＳを一端に有している。雄ねじ部３８ＭＳは、雌ねじ部１２ＦＳに対向するようにレセプタクルハウジング３８の外周部に形成されている。レセプタクルハウジング３８は、接続端部３８Ｂを他端に有している。接続端部３８Ｂは、他端から軸線方向に沿ってプラグコネクタ１０のプラグハウジング１８に向けて突出している。レセプタクルコネクタ３０がプラグコネクタ１０に対し接続される場合、接続端部３８Ｂは、上述のプラグコネクタ１０のプラグハウジング１８の小径部１８Ｂに挿入される。また、接続端部３８Ｂの基端は、プラグハウジング１８の大径部１８Ｅに挿入される。その基端の外周部には、Ｏリング３６が配される溝が形成されている。これにより、プラグハウジング１８の端面と当接するレセプタクルハウジング３８の端面との間を通じて外部から内部への液体の侵入が、Ｏリング３６により回避される。
【００５７】
Ｏリング３６の周辺には、一対のロック用爪部３８ＮＡおよび３８ＮＢが、接続端部３８Ｂに対し略平行に形成されている。一対のロック用爪部３８ＮＡおよび３８ＮＢは、上述したように、プラグハウジング１８のスリット１８ＤＡおよび１８ＤＢ内に挿入される。
【００５８】
接続端部３８Ｂ内には、レセプタクルコンタクト端子４０の接触端部４４が挿入される孔が形成されている。また、その孔の一端には、プラグコンタクト端子２０の接触端部２４が通過する孔３８ｂが形成されている。
【００５９】
雄ねじ部３８ＭＳの内側には、上述のコンタクト／シール用シリンダー１４のコンタクト収容部１４Ａおよびレセプタクルコンタクト端子４０の導体接続部４６を収容する導体接続部収容部３８Ａが形成されている。導体接続部収容部３８Ａと接続端部３８Ｂの孔との間には、連通部３８Ｃが形成されている。
【００６０】
斯かる構成において、ケーブルＣＡの一端が導体接続部４６に接続されたレセプタクルコンタクト端子４０をレセプタクルハウジング３８に組み付けるにあたっては、先ず、シール用チューブ１６が装着されたコンタクト／シール用シリンダー１４のケーブル把持部１４Ｂが、段付押さえナット部材１２の雌ねじ部１２ＦＳに嵌め合わされた後、大径部１２ｂ内に挿入される。これにより、コンタクト／シール用シリンダー１４と段付押さえナット部材１２とが組み合わされ、一つの部品とされる。次に、図１０に示されるように、レセプタクルコンタクト端子４０の導体接続部４６がコンタクト／シール用シリンダー１４のコンタクト収容部１４Ａに固定される。続いて、ケーブルＣＡの一端の内部導体が、レセプタクルコンタクト端子４０側から段付押さえナット部材１２の貫通孔１２Ａ，シール用チューブ１６の孔、および、コンタクト／シール用シリンダー１４の孔１４Ｈを通じて、クリップ片４２がアンロック状態で、導体接続部４６に挿入された後、図１に示されるように、クリップ片４２がロック状態とされる。続いて、ケーブルＣＡが把持された状態で、ケーブルＣＡの一端に接続されたレセプタクルコンタクト端子４０が、レセプタクルハウジング３８の導体接続部収容部３８Ａ、連通部３８Ｃを通じて挿入される。これにより、図２に示されるように、レセプタクルコンタクト端子４０の接触端部４４が接続端部３８Ｂの内周部に突出することとなる。
【００６１】
そして、段付押さえナット部材１２の雌ねじ部１２ＦＳがレセプタクルハウジング３８の雄ねじ部３８ＭＳにねじ込まれ、その組み付けが終了する。これにより、段付押さえナット部材１２の縮小部１２ｄが、コンタクト／シール用シリンダー１４の各押圧片１４Ｐｉの先端部を弾性力に抗して収斂するように押圧するとともに、レセプタクルコンタクト端子４０およびコンタクト／シール用シリンダー１４全体を中心軸線に沿って連通部３８Ｃに向けて押圧する。これにより、シール用チューブ１６の内周部がケーブルＣＡの外周部に密着せしめられるとともに、シール用チューブ１６の外周部が変位した凹部１４ｂを形成する内周面に密着される。従って、不所望な外部からの液体がケーブルＣＡの外周部を伝わってレセプタクルハウジング３８内に侵入することがシール用チューブ１６により防止される。また、コンタクト／シール用シリンダー１４の各押圧片１４Ｐｉの先端部がケーブルＣＡの外周部に食い込むのでレセプタクルコネクタ３０におけるケーブルＣＡの保持力が高められる。
【００６２】
なお、上述の本発明に係るケーブル用コネクタの防水構造の一例が適用されたケーブル用コネクタにおいては、コンタクト／シール用シリンダー１４の係止用突起部１４Ｂｎ１〜１４Ｂｎ４が、段付押さえナット部材１２の雌ねじ部１２ＦＳの最端のねじ山１２ｆｓｂに係止されるように構成されているが、必ずしもこのようになされる必要がなく、例えば、コンタクト／シール用シリンダー１４の係止用突起部１４Ｂｎ１〜１４Ｂｎ４の代わりに、コンタクト／シール用シリンダー１４に環状の溝部が形成され、また、段付押さえナット部材１２の雌ねじ部１２ＦＳの最端のねじ山１２ｆｓｂに隣接した位置に、その環状の溝部に解放可能に係合するように半径方向内方に突出する突起部が段付押さえナット部材１２の内周部に形成されてもよい。
【符号の説明】
【００６３】
１０    プラグコネクタ
１２    段付押さえナット部材
１４    コンタクト／シール用シリンダー
１４Ｐｉ    押圧片
１４Ｂｎ１，１４Ｂｎ２，１４Ｂｎ３，１４Ｂｎ４    係止用突起部
１４Ａ    コンタクト収容部
１６    シール用チューブ
１８    プラグハウジング
２０    プラグコンタクト端子
３０    レセプタクルコネクタ
３８    レセプタクルハウジング
４０    レセプタクルコンタクト端子
ＣＡ    ケーブル
【図１】
2013069550.tif 000003
【図２】
2013069550.tif 000004
【図３】
2013069550.tif 000005
【図４】
2013069550.tif 000006
【図５】
2013069550.tif 000007
【図６】
2013069550.tif 000008
【図７】
2013069550.tif 000009
【図８】
2013069550.tif 000010
【図９】
2013069550.tif 000011
【図１０】
2013069550.tif 000012
【図１１】
2013069550.tif 000013